(57)【要約】【課題】  印刷用資材を利用する多くの業者やユーザーが利用でき、使用された印刷用資材の回収，分別および再生ができるとともに、これらを再度業者やユーザーに提供し、印刷用資材が循環的に流通することができること。【解決手段】  複数種の印刷用資材の展示および譲渡を担う提供手段、譲渡されて使用された該印刷用資材の回収を担う回収手段、回収された該印刷用資材の分別と再生を担う再生手段、を有し、再生手段によって再生された再生資材および分別と再生によって発生する副生物が提供手段によって展示および譲渡され、該再生資材および副生物を含む該印刷用資材が循環的に流通すること。【選択図】  図１
2014139728.tif 000002
【特許請求の範囲】
【請求項１】
複数種の印刷用資材の展示および譲渡を担う提供手段、譲渡されて使用された該印刷用資材の回収を担う回収手段、回収された該印刷用資材の分別と再生を担う再生手段、を有し、前記再生手段によって再生された再生資材および分別と再生によって発生する副生物が前記提供手段によって展示および譲渡され、該再生資材および副生物を含む該印刷用資材が循環的に流通することを特徴とする印刷用資材に係る流通システム。
【請求項２】
前記提供手段において提供される前記印刷用資材として、印刷用の各種紙材またはフィルム，各種印刷用インキ，各種接着剤，各種溶剤および前記回収手段による回収処理工程または再生手段による再生処理工程において発生する有価な有機物や電力あるいはエネルギーを含むとともに、前記提供手段において、印刷用機器等の印刷用機材、溶剤回収装置等の印刷用資材の回収用機材、再生樹脂製造装置等の印刷用資材の再生用機材が提供されることを特徴とする請求項１記載の印刷用資材に係る流通システム。
【請求項３】
前記提供手段において、前記印刷用資材に対する個別の回収技術，分別技術および再生技術の展示，供与または譲渡および技術指導を含むとともに、前記回収手段において、前記印刷用資材の使用によって発生した印刷用資材自体以外の廃棄物をも回収することを特徴とする請求項１または２記載の印刷用資材に係る流通システム。
【請求項４】
印刷用資材について、
（１）複数種の印刷用資材の展示および譲渡を担う印刷用資材の提供
（２）譲渡されて使用された前記印刷用資材の回収を担う印刷用資材の回収
（３）回収された前記印刷用資材の分別と再生を担う印刷用資材の再生
（４）再生された再生資材の展示および譲渡を担う再生資材の提供
（５）分別と再生によって発生した副生物の展示および譲渡を担う副生物の提供
の実施を含むことを特徴とする印刷用資材に係る流通方法。
【請求項５】
請求項１〜３のいずれかに係る流通システムまたは請求項４に係る流通方法を用いた印刷用資材に係る流通市場であって、
該流通市場が、流通市場での複数種の印刷用資材の展示および譲渡，流通市場を介した使用された該印刷用資材の回収，回収された該印刷用資材から再生された再生資材の展示および譲渡，回収された該印刷用資材の分別と再生によって発生する副生物の展示および譲渡，印刷用資材に対する個別の回収技術，分別技術および再生技術の展示，供与または譲渡および技術指導の提供、から構成され、印刷用資材の一部が該流通市場を介して循環的に流通することを特徴とする印刷用資材に係る流通市場。
【請求項６】
流通市場に係る取り扱い業者の情報，印刷用資材に関する流通前の新製品や特許情報等を含む新規技術の情報，および該印刷用資材の使用に伴う環境負荷の変動に係る情報が、前記流通市場に提供されることを特徴とする請求項５記載の印刷用資材に係る流通市場。
【発明の詳細な説明】
【技術分野】
【０００１】
本発明は、印刷用資材に係る流通システム，流通方法およびこれらを用いた印刷用資材に係る流通市場に関し、例えばグラビア印刷に用いられる印刷用資材に係る流通システムや流通方法およびこれらを用いた印刷用資材に係る流通市場に関する。ここでいう「印刷用資材」とは、後述するように、印刷用の各種紙材やフィルムあるいは印刷用インキや溶剤等の資材を含むとともに、広く、新製品，再生品および副生物をも含むものとする。
【背景技術】
【０００２】
近年、種々の産業分野において、環境を配慮した製品やその取扱の改善が進められている。個別の企業や各種団体においてもＩＳＯ−１４０００の取得を始め、法律的な規制だけではなく社会的な意義のある環境改善活動が積極的に行われている。具体的には、廃棄物の抑制（リデュース），製品の再利用（リユース）および製品の再資源化（リサイクル）等によって、資源の有効利用を図り、人体や自然環境への影響の少ない永続可能な産業活動が維持できる環境改善活動の１つとして定着している。こうした活動は、印刷用資材の分野でも、広く進められ、印刷用資材の流通過程のみならず、印刷技術の進歩に伴う新しい材料の開発等においても、予め省資源や省エネルギーあるいは廃棄物の低減や使用された製品の回収と再生等を考慮した製品化が進められ、多くの提案がされている。
【０００３】
例えば、印刷用溶剤についての、溶剤の回収率を向上させて省資源、省エネルギーに寄与し、かつ印刷機周辺の溶剤ガスをも回収して、有機則の遵守を容易にするグラビア印刷機の溶剤回収方法が挙げられる（例えば特許文献１参照）。また、印刷用紙材についての、使用済の合成紙から印刷用インキの塗膜を剥離し、合成紙の主原料たる合成樹脂と印刷用インキの塗膜とを個別に分離、回収する廃棄合成紙の回収方法が挙げられる（例えば特許文献２参照）。
【先行技術文献】
【特許文献】
【０００４】
【特許文献１】特開２００５−２３８７０５号公報
【特許文献２】特開平１０−６３３５号公報
【発明の概要】
【発明が解決しようとする課題】
【０００５】
しかしながら、印刷用資材には、例えば、印刷用溶剤に対する印刷適性や速乾性あるいは安全性という普遍的な特性とともに、多くの資質・特性が要求されるように、それぞれの印刷用資材固有の課題がある。さらに、上記のような法的な課題に加え、以下に挙げるような環境面での問題点や課題が生じることがあった。
（ｉ）「環境改善」が重要視されている現在においても、使用された印刷用資材の多くは、廃棄物として廃棄され、産業廃棄物となる溶剤やウエス等は専門業者に引き取られて焼却処分されている。再生可能なものや回収可能な有価物も多いにもかかわらず、印刷用資材を利用する多くの業者やユーザーが利用できる「場」が殆どないのが現状である。
（ii）上記溶剤回収方法あるいは廃棄合成紙の回収方法等のように、個別の印刷用資材についての回収や再生技術は、提案され実施されているものも多いが、非常に狭い範囲の個別的な回収や再生しかできていないのが現状である。例えば、回収された溶剤は、その生産工場においてのみ再生溶剤として利用され、回収された合成紙は、その企業あるいは企業体において殆ど再利用されず、燃料として利用あるいは単なる燃焼処理されて、印刷用資材の流通市場全体としての環境負荷は、効率的に低減されているとはいえない。
（iii）特に、昨今多く用いられているグラビア印刷にあっては、その基材も紙材から樹脂フィルムや特殊プラスチックスなどが用いられ、印刷技術によって種々の印刷用インキや溶剤等が使用される。また、例えば溶剤についても、予め用いられるインキ希釈用溶剤，印刷用インキや接着剤，接着前希釈用溶剤，あるいは洗浄用溶剤や仕上げ用溶剤等がそれぞれ異なる場合が多くあり、それぞれを効率よく回収し、再利用することは非常に困難であった。
【０００６】
本発明の目的は、こうした現状の課題を解消する手段として、印刷用資材を利用する多くの業者やユーザーが利用でき、使用された印刷用資材の回収，分別および再生が容易にできるとともに、これらを再生資材として業者やユーザーに提供し、印刷用資材が循環的に流通することができる、環境改善を重視した印刷用資材に係る流通システム，流通方法およびこれらを用いた印刷用資材に係る流通市場を提供することにある。
【課題を解決するための手段】
【０００７】
本発明者らは、鋭意研究を重ねた結果、以下に示す印刷用資材に係る流通システム，流通方法およびこれらを用いた印刷用資材に係る流通市場によって上記目的を達成できることを見出し、本発明を完成するに到った。
【０００８】
本発明に係る印刷用資材に係る流通システムは、複数種の印刷用資材の展示および譲渡を担う提供手段、譲渡されて使用された該印刷用資材の回収を担う回収手段、回収された該印刷用資材の分別と再生を担う再生手段、を有し、前記再生手段によって再生された再生資材および分別と再生によって発生する副生物が前記提供手段によって展示および譲渡され、該再生資材および副生物を含む該印刷用資材が循環的に流通することを特徴とする。
【０００９】
また、本発明に係る印刷用資材に係る流通方法は、印刷用資材について、
（１）複数種の印刷用資材の展示および譲渡を担う印刷用資材の提供
（２）譲渡されて使用された前記印刷用資材の回収を担う印刷用資材の回収
（３）回収された前記印刷用資材の分別と再生を担う印刷用資材の再生
（４）再生された再生資材の展示および譲渡を担う再生資材の提供
（５）分別と再生によって発生した副生物の展示および譲渡を担う副生物の提供
の実施を含むことを特徴とする。
【００１０】
また、本発明に係る印刷用資材に係る流通市場は、本発明に係る流通システムまたは流通方法のいずれかを用い、該流通市場が、流通市場での複数種の印刷用資材の展示および譲渡，流通市場を介した使用された該印刷用資材の回収，回収された該印刷用資材から再生された再生資材の展示および譲渡，回収された該印刷用資材の分別と再生によって発生する副生物の展示および譲渡，印刷用資材に対する個別の回収技術，分別技術および再生技術の展示，供与または譲渡および技術指導の提供、から構成され、印刷用資材の一部が該流通市場を介して循環的に流通することを特徴とする。
【００１１】
こうした構成によって、印刷用資材を利用する多くの業者やユーザーが利用でき、使用された印刷用資材の回収，分別および再生ができるとともに、これらを再度業者やユーザーに提供し、印刷用資材が循環的に流通することができる。また、こうした種々の印刷用資材を、再生可能に流通させることができる、メーカーや再生業者およびユーザーを含めた統括的な流通システム・流通市場を形成することによって、使用済の資材の殆どから廃棄物が発生しない循環型の流通システム・流通市場を構成することが可能となった。本発明は、このような従前にない印刷用資材の循環的流通を、流通システム，流通方法および流通市場に適用することによって、資源の有効利用を図り、人体や自然環境への影響が少なく、かつ永続可能な産業活動の維持を可能としたものである。
【００１２】
本発明は、上記印刷用資材に係る流通システムであって、前記提供手段において提供される前記印刷用資材として、印刷用の各種紙材またはフィルム，各種印刷用インキ，各種接着剤，各種溶剤および前記回収手段による回収処理工程または再生手段による再生処理工程において発生する有価な有機物や電力あるいはエネルギーを含むとともに、前記提供手段において、印刷用機器等の印刷用機材、溶剤回収装置等の印刷用資材の回収用機材、再生樹脂製造装置等の印刷用資材の再生用機材が提供されることを特徴とする。
印刷用資材に係る流通においては、単に印刷用基材や印刷用インキといった直接印刷に用いられるものだけの提供，回収および再生における改善活動を図っても、十分な環境改善には繋がらない場合がある。具体的には、印刷機の洗浄と拭き取りに用いられる洗浄用溶剤やウエスあるいは試し刷りに用いるリード紙等については、現在廃棄物として処分されている。上記のように、印刷技術の進歩により種々の廃棄物の発生は、環境悪化を将来させることなる。本発明は、こうした資材をも印刷用資材として、所定の量を集めて回収し、再生あるいは再資源化を行うことによって、より効果的に、人体や自然環境への影響が少なく、かつ永続可能な産業活動が維持できる流通システムを形成することが可能となる。また、印刷用機器等の印刷用機材、溶剤回収装置等の印刷用資材の回収用機材、再生樹脂製造装置等の印刷用資材の再生用機材は、印刷用資材を循環的に流通させるために不可欠であり、こうした機材を流通システムに組み込むことによって、流通の循環をより効果的に行うことができる。
【００１３】
本発明は、上記印刷用資材に係る流通システムであって、前記提供手段において、前記印刷用資材に対する個別の回収技術，分別技術および再生技術の展示，供与または譲渡および技術指導を含むとともに、前記回収手段において、前記印刷用資材の使用によって発生した印刷用資材自体以外の廃棄物をも回収することを特徴とする。
上記のように、印刷用資材の流通のしくみ全体において環境改善効果のある流通形態を目指している。従って、各種の印刷用資材の回収，分別および再生において所定の技術水準がなければ、全体として改善効果が期待できない場合がある。本発明は、こうした流通システムや流通市場に導入される要素として、印刷用資材だけではなく、個々の資材固有の回収技術，分別技術および再生技術を加え、流通システムや流通市場において取扱い業者等に提供することによって、こうした技術のレベルアップを行い、より効果的に、人体や自然環境への影響が少なく、かつ永続可能な産業活動が維持できる流通形態を形成することが可能となる。また、印刷用資材の使用によって発生した廃棄物には、その使用者には認識できない有価性があることがある。本発明は、こうした廃棄物についても、本システムの対象とすることによって、幅広い観点でその廃棄物の利用価値を作り出し、効果的に廃棄物の抑制（リデュース）を図ることができる。
【００１４】
本発明は、上記印刷用資材に係る流通市場であって、流通市場に係る取り扱い業者の情報，印刷用資材に関する、流通前の新製品や特許情報等を含む新規技術の情報，および該印刷用資材の使用に伴う環境負荷の変動に係る情報が、前記流通市場に提供されることを特徴とする。
印刷用資材の選定において印刷技術あるいはデザインに関係する判断がなされることがある。本発明は、流通市場において商品（資材）の技術背景を提供することによって、より技術水準の高い資材の選定を容易に行なうことができるようにした。また、本発明の目的である環境改善効果は、定量性のある情報として当事者に供給することが好ましい。本発明は、印刷用資材の使用に伴う環境負荷の変動に係る情報を開示することによって、環境改善を常に確認できる流通形態を実現することができる。
【図面の簡単な説明】
【００１５】
【図１】本発明に係る印刷用資材に係る流通システムを例示する全体構成図。
【図２】本発明に係る印刷用フィルムに係る流通方法を例示する全体構成図。
【図３】本発明に係る印刷用インキに係る流通方法を例示する全体構成図。
【図４】本発明に係る流通市場を例示する全体構成図。
【発明を実施するための形態】
【００１６】
以下、本発明の実施の形態について、図面を参照しながら説明する。本発明に係る印刷用資材に係る流通システム（以下「本システム」という）は、印刷用資材の提供手段、印刷用資材の回収手段、印刷用資材の再生手段、を有し、再生手段によって再生された再生資材および分別と再生によって発生する副生物が提供手段によって展示および譲渡され、該再生資材および副生物を含む該印刷用資材が循環的に流通することを特徴とする。印刷用資材を利用する多くの業者やユーザーが利用でき、使用された印刷用資材の回収，分別および再生ができるとともに、これらを再度業者やユーザーに提供し、印刷用資材が循環的に流通することができる。特に、流通システム内に、多くの再生業者の種々の再生技術を統括的に利用することができることから、使用済の資材の殆どから廃棄物が発生しない循環型の流通システムを構成することができる。
【００１７】
ここでいう「印刷用資材」とは、印刷用の各種紙材またはフィルム，各種インキ，各種接着剤，各種溶剤等の印刷用の原材料を含むとともに、広く、これらの新品や再生品、またはこれらの回収，分別あるいは再生によって発生する有価な有機物や電力あるいはエネルギーを含む種々の副生物を含むものとする。また、製品用の資材、あるいは接着剤やインキ用溶剤のような副資材だけではなく、使用後の印刷機の洗浄や拭き取りに用いられるウエスや洗浄剤等の消耗品を含む。
【００１８】
＜本システムの基本構成＞
図１は、本システムの基本的な概略全体構成を示す（第１構成例）。複数種の印刷用資材の展示および譲渡を担う「印刷用資材の提供手段」と、譲渡されて使用された印刷用資材の回収を担う「印刷用資材の回収手段」、回収された印刷用資材の分別と再生を担う「印刷用資材の再生手段」を有する。
【００１９】
〔印刷用資材の提供手段〕
ここでは、上記の印刷用資材について、展示および譲渡を担うとともに、提供のためのデータ管理が重要となる。具体的には、印刷の用途や印刷の種類等の１次情報と、これにリンクした印刷用資材の品目，仕様および価格等の２次情報，さらに、これにリンクした販売実績や顧客情報等の３次情報等とともに、各要素についての環境負荷情報や法的制約事項等の４次情報を、複数次のデータとして管理し、運用することが好ましい。これによって、本システムにおいて提供された資材あるいは管理されている資材についての環境情報を把握し、改善効果を算出することができる。このとき、様々なデータ管理方法を適用することが可能であるが、例えば、資材の１次情報として所望の印刷の種類「グラビア印刷」を入力し、所望の印刷用資材の品目「印刷用インキ」を入力した場合、２次情報として該当する複数種の「印刷用インキ」の品目、仕様や価格等が出力され、所望の品目Ａを選択することができる構成が好ましい。また、実績データとして、さらに３次情報として品目Ａの販売実績や納入顧客情報および今後提供可能な数量等の営業的な情報を得ることができる。また、品目Ａの販売に伴う新たに生じる環境負荷および本システムを用いたことに伴い低減される環境負荷を把握することができる。
【００２０】
印刷用資材の提供については、新品資材や再生資材あるいは副生品といった印刷用資材の提供だけではなく、印刷用機器等の印刷用機材、溶剤回収装置等の印刷用資材の回収用機材、再生樹脂製造装置等の印刷用資材の再生用機材が提供されることが好ましい。印刷用資材の循環的な流通に不可欠なこうした機材を、本システムに組み込むことによって、流通の循環をより効果的に行うことができる。また、同様に印刷用資材に対する個別の回収技術，分別技術および再生技術の展示，供与または譲渡および技術指導を含む技術や技術情報を提供することが好ましい。こうした技術のレベルアップを図り、より効果的に、人体や自然環境への影響が少なく、かつ永続可能な産業活動が維持できる流通形態を形成することができる。
【００２１】
〔印刷用資材の回収手段〕
印刷用資材の回収は、本システムにおける環境改善の窓口となる。一方、印刷用資材の種類や数量によって回収方法が大きく異なることから一元的な回収は難しい。本システムは、その重要な構成要素として回収手段を有し、流通システム全体として印刷用資材に対応した複数の回収技術を確保する。また、より広くこうした回収技術の活用を図るべく、上記のような回収技術の提供ができる構成を有する。幅広い観点でその廃棄物の利用価値を作り出し、効果的に廃棄物の抑制（リデュース）を図ることができる。
【００２２】
〔印刷用資材の再生手段〕
回収された印刷用資材は、上記のように多種多様な素材の組合せが考えられ、一律的な再生処理はできない。ただ、一般に、特定の材料あるいは特定の資材についての再生技術については、既述のように、多くの研究結果が得られている。本システムでは、こうした技術を利用できるように、回収技術同様、本システムの重要な構成要素として再生手段を有し、流通システム全体として印刷用資材に対応した複数の再生技術を確保する。また、より広くこうした再生技術の活用を図るべく、上記のような再生技術の提供ができる構成を有する。ここで再生処理された資材は、単独で再生資材とされる場合だけではなく、新品資材との組合せ（混合）によって新品に近い資材（ここでは、ハイブリッド資材「ＨＢ資材」という）とされる場合がある。本システムでは、これをも「再生資材」として取扱う。具体的には、回収されたインキ用溶剤には、インキ成分等が一部含まれ、蒸留再生しても、なお一部に不純物が含まれる場合がある。このとき、主成分を「新品資材」とし、「再生資材」を混合して「ＨＢ資材」を作製した場合には、その特性は「新品資材」と大差なく使用することができる。
【００２３】
具体的に、いくつかの印刷用資材についての再生技術について、下表１に例示する。原料の形態，使用に伴い変化した形態，再生された場合の形態について示す。
【００２４】
【表１】
2014139728.tif 000003
【００２５】
＜本システムを用いた印刷用資材に係る流通方法＞
本システムを用いた印刷用資材に係る流通方法は、印刷用資材について、以下の実施を含む。
（１）複数種の印刷用資材の展示および譲渡を担う印刷用資材の提供
（２）譲渡されて使用された前記印刷用資材の回収を担う印刷用資材の回収
（３）回収された前記印刷用資材の分別と再生を担う印刷用資材の再生
（４）再生された再生資材の展示および譲渡を担う再生資材の提供
（５）分別と再生によって発生した副生物の展示および譲渡を担う副生物の提供
以下、各実施内容について、印刷用フィルムの流通を例示する図２および印刷用インキの流通を例示する図３に基づき詳述する。
【００２６】
（１）印刷用資材の提供
印刷用資材として、新品資材および再生資材が提供されるとともに、燃料や電力等の副生物および回収機材や再生機材が提供される。具体的には、新品フィルム等の印刷用フィルムおよび新品インキ等の印刷用インキが提供される。印刷用フィルムには、製品用フィルム（新品フィルム等）や試し刷り用フィルム（新品フィルム，再生フィルムあるいはＨＢフィルム等）が含まれる。印刷用インキには、用途に対応した印刷用インキ（例えばグラビア印刷用インキ；新品インキ等）に加え、インキ希釈用溶剤（新品溶剤，再生溶剤あるいはＨＢ溶剤等）や印刷機洗浄用溶剤との組合せが含まれる。購入者（使用者）が提供を受け、使用する。具体的には、印刷業者が購入し、所定の印刷物に仕上げられる。出版物等の印刷物については、回収されることは少ないが、ここでは、使用後に回収される場合を設定する。
【００２７】
（２）印刷用資材の回収
印刷作業後、印刷用フィルムは、試刷用フィルムや印刷ミスによる使用ロス等使用済フィルムとして回収される。印刷用インキは、使用済インキとして回収容器に回収される。分別等が必要のない場合等においては、直接再生処理されることがある。印刷用フィルムは、原型のまま回収される場合や樹脂成分毎に分別回収される場合等、回収方法によって異なるが、ここでは粉砕機によって細砕された状態で、再生処理に移行する場合を示す。細砕によって、印刷されたフィルム上に付着していたインキが剥離する。従前、剥離インキの多くは廃棄処分されていたが、ここでは剥離インキを固体燃料として再生する技術を用いて、再度有価物として印刷用資材の提供に供される場合を示す。一方、回収された使用済インキについては、回収容器に回収される時に溶剤が使用され、溶解された状態で、再生処理に移行する場合を示す。分別可能な場合には、その溶剤が再度有価物として印刷用資材の提供に供される場合を示す。
【００２８】
（３）印刷用資材の再生
回収された使用済みの印刷用資材は、有価物として再生処理される。具体的には、上表１のような再生処理が挙げられる（新品資材と混合してＨＢ資材とする場合を含む）。回収され粉砕された使用済フィルムは、溶融処理されてペレット状の再生樹脂に成形される。粉砕されずに回収された比較的清浄なフィルムは、印刷されたインキや接着剤等の付着物が洗浄処理された後、再生フィルムとされる。こうした１次再生処理されて残ったフィルム屑は収集され、固体燃料あるいは溶解して液体燃料に２次再生処理されて、有価な副生物となる。さらに、こうした燃料化された材料の一部は、発電ボイラ等によって燃焼処理されて（ここでは、３次再生処理という）有価な電力（副生物）となる。回収された使用済インキは、蒸留装置を用いて精製され、回収時の用いられたインキ溶解用溶剤とともに、再生溶剤として取り出される。蒸留残渣のうち粘度が低い成分は、重油代用燃料（液体燃料）、粘度が高い残渣は、固体燃料に２次再生処理されて有価な副生物となる。このとき、フィルム屑等他の再生処理後の屑成分とともに混合して固体燃料を作製することが可能である。さらに、こうした燃料化された材料の一部は、上記同様、燃焼処理（３次再生処理）されて、有価な電力（副生物）となる。
【００２９】
（４）再生資材の提供
再生された使用済みの印刷用資材は、有価物として再度利用に供される。具体的には、ペレット状に成形された再生樹脂は、再度印刷用フィルムの原材料として使用することができる。再生フィルムは、再度試刷用資材等として利用される。使用済みインキからは、新規のインキ製造のための原料（希釈用溶剤）として、再度印刷用資材として利用される。
【００３０】
（５）副生物の提供
回収時あるいは再生時に発生した副生物も、有価物として再度利用に供される。具体的には、使用済フィルムからは、回収後の粉砕処理において発生する剥離インキが２次処理されて作製される固体燃料やこれを燃焼させて（３次処理）得られた電力等が、有価な副生物として提供される。使用済インキからは、回収時に使用された溶剤を含めて蒸留により分離された蒸留残渣から２次処理されて作製される固体燃料やこれを燃焼させて（３次処理）得られた電力等が、有価物（副生物）として利用することができる。
【００３１】
＜本システムおよび本方法を用いた印刷用資材に係る流通市場＞
上記本システムおよび本方法を用いた印刷用資材に係る流通市場（以下「本流通市場」ということがある）は、流通市場での複数種の印刷用資材の展示および譲渡，流通市場を介した使用された該印刷用資材の回収，回収された該印刷用資材から再生された再生資材の展示および譲渡，回収された該印刷用資材の分別と再生によって発生する副生物の展示および譲渡，印刷用資材に対する個別の回収技術，分別技術および再生技術の展示，供与または譲渡および技術指導の提供、から構成され、印刷用資材の一部が本流通市場を介して循環的に流通する。以下、図４の例示された内容に基づき詳述する。このとき、市場管理者によって本流通市場が形成され、本流通市場に登録された新品資材の製造業者や印刷業者（使用者）あるいは再生業者や再生資材の製造業者による印刷用資材の提供、回収および再生が管理され、維持される。こうした循環式の本流通市場が形成されることによって、環境負荷が低減された印刷用資材の流通が維持される。
【００３２】
（１）印刷用資材の提供
本流通市場において、各種の印刷用資材が展示される。具体的には、本流通市場に提供されるものは、本流通市場に登録された新品資材製造業者によって新品資材が提供され、これを使用した印刷業者（使用者）によって使用済品や廃棄物が提供される。また、これら使用済品や廃棄物は、市場管理者を介して再生業者あるいは再生資材製造業者によって再生された後、再生資材や副生物として再生資材の製造業者あるいは再度市場管理者によって提供される。印刷用資材の流通において、製造業者からの新品資材や再生資材とともに使用済品や廃棄物が本流通市場に提供（譲渡）され、該使用済品や廃棄物が本流通市場を介して再生業者（あるいは再生資材製造業者）に提供される、本流通市場は、環境改善上においても極めて重要な機能を有するものであり、市場管理者によって統括的に管理されることによって、非常に効率のよい環境負荷の改善を図ることができる。なお、ここでは、新品資材の製造業者や市場管理者等、本流通市場における役割を明確にするために名称を付したが、これに限定されるものではない。また、再生処理を専門とする再生業者と、再生処理の有無を問わず本流通市場に提供可能な再生資材を作製する再生資材製造業者とを区別したが、こうした区分に限定されるものではないことはいうまでもない。
【００３３】
また、本流通市場は、印刷用資材だけではなく、例えばＶＯＣ等溶剤回収装置等の印刷用資材の回収用機材、蒸留装置や再生樹脂製造装置等の印刷用資材の再生用機材が提供されることによって、本流通市場が要求する再生資材に合致した回収処理や再生処理が可能となり、印刷用資材の流通の循環をより効果的に行うことができる。同様に、印刷用資材に対する個別の回収技術，分別技術および再生技術の展示，供与または譲渡および技術指導を含む技術や技術情報を提供することによって、本流通市場を通じての環境関連技術のレベルアップを図ることができる。また、本流通市場に係る取り扱い業者の情報，印刷用資材に関する、流通前の新製品や特許情報等を含む新規技術の情報，および該印刷用資材の使用に伴う環境負荷の変動に係る情報が、本流通市場に提供されることによって、より技術水準の高い資材の選定を容易に行なうことができるようにし、印刷用資材の使用に伴う環境負荷の変動に係る情報を定量的に把握することができ、環境改善を常に確認できる流通形態を実現することができる。
【００３４】
（２）印刷用資材の回収
本流通市場において、使用済みの各種の印刷用資材が回収される。具体的には、新品資材あるいは再生資材を購入した印刷業者（使用者）が、これを使用した使用済品あるいは廃棄物が本流通市場に提供され、市場管理者を介して再生業者あるいは再生資材製造業者がこれを回収し、再生処理に移行する。これによって、迅速にかつ経済的合理性をもって廃棄物あるいは使用済品の回収が可能となる。また、その後の処理においても、市場管理者からの市場収益の還元等の調整によって、環境負荷を確認しながら経済性とのバランスをもって、事業を継続的に行うことができる。従来の特定業者にのみ負荷がかかった事業形態を脱することができる。
【００３５】
（３）印刷用資材の再生
市場管理者を介して回収された使用済品や廃棄物は、市場管理者による流通市場への情報開示によって、複数の再生業者の入札あるいは競合が行われ、環境負荷を確認しながら経済性とのバランスをもって、事業を継続的に行うことができ、迅速にかつ経済的合理性をもって廃棄物あるいは使用済品の再生が可能となる。このとき、各再生業者が得意とする技術分野を登録しておくことによって最善のルートで再生処理を行うことができる。また、本流通市場における再生資材製造業者は、再生業者あるいは市場管理者から提供された使用済品等（再生原料）を再生処理して再生資材を作製するだけでなく、再生資材と新品資材を配合したＨＢ資材を作製することによって、低コストで所望の仕様の印刷用資材の提供が可能となった。従前のいずれかしか提供できなかった当該流通市場の拡大、つまり環境負荷の低減に寄与することができる。
【００３６】
（４）再生資材および副生物の提供
再生業者によって再生された再生資材や副生物は、市場管理者を介して（場合によっては再生資材の製造業者によって）、流通市場に提供される。印刷用資材の専門業者から形成された流通市場においては再生資材に対する選定も信頼性が高く、新品資材と同様の機能を有する再生資材には高い価値が認められ、再生事業の推進を図ることができる。また、再生品については、再生処理に要する環境負荷によって評価できれば、流通市場における取引の拡大は、しいては環境負荷の低減に大きく貢献することとなる。
【００３７】
（５）回収技術等および技術指導の提供
本発明に係る印刷用資材の流通市場においては、回収技術等および技術指導の提供によって、市場参加者の技術レベルの向上に対し大きな期待をすることができる。つまり、登録された専門業者間の開かれた流通市場において、互いの技術の補完と同時に流通市場が大きな技術力を形成することができる。
【図１】
2014139728.tif 000004
【図２】
2014139728.tif 000005
【図３】
2014139728.tif 000006
【図４】
2014139728.tif 000007